(57)【要約】【課題】パネル面に表示された操作ボタンの操作ミスを極力回避可能な眼底カメラを提供する。【解決手段】本発明の眼底カメラは、タッチパネル部６のパネル面１０に表示された複数個の操作ボタンの少なくとも一つを操作することによりこの操作ボタンに与えられた機能を実行させるものにおいて、パネル面１０を縁取るための枠部に操作ボタンを指し示す指示体の位置を検出する光学的検出手段（１５ａ〜１５ｇ、１６ａ〜１６ｇ、１５ａ’〜１５ｇ’、１６ａ’〜１６ｇ’）と、光学的検出手段（１５ａ〜１５ｇ、１６ａ〜１６ｇ、１５ａ’〜１５ｇ’、１６ａ’〜１６ｇ’）により検出された指示体の位置に基づき指示体の位置を特定する特定手段１８と、この特定手段１８によって特定された指示体の位置の近傍に存在する操作ボタンを拡大表示してパネル面に表示させる表示制御手段１９とを有する。【選択図】図４
2007089766.tif 000002
【特許請求の範囲】
【請求項１】
タッチパネル部のパネル面に表示された複数個の操作ボタンの少なくとも一つを操作することにより該操作ボタンに与えられた機能を実行させる眼底カメラにおいて、
前記パネル面を縁取るための枠部に前記操作ボタンを指し示す指示体の位置を検出する光学的検出手段と、該光学的検出手段により検出された指示体の位置に基づき指示体の位置を特定する特定手段と、該特定手段によって特定された指示体の位置の近傍に存在する操作ボタンを拡大表示して前記パネル面に表示させる表示制御手段とを有することを特徴とする眼底カメラ。
【請求項２】
前記表示制御手段は、拡大表示された操作ボタン以外の残余の操作ボタンを縮小表示して前記パネル面に表示させることを特徴とする請求項１に記載の眼底カメラ。
【発明の詳細な説明】
【技術分野】
【０００１】
本発明は、タッチパネル部を有する眼底カメラの改良に関する。
【背景技術】
【０００２】
従来から、眼底カメラには、バックライト光源によりパネル面を照明し、パネル面に表示された操作ボタンを操作することにより、所定の処理を実行させるタッチパネル部を有する眼底カメラが知られている。
【０００３】
なお、本発明に係わる類似の技術としてタッチパネル部を有する眼底カメラは知られている（特許文献１参照。）。
【特許文献１】特開２００３−０１９１１７号公報
【発明の開示】
【発明が解決しようとする課題】
【０００４】
ところで、そのタッチパネル部のパネル面には、複数個の操作ボタンが表示されており、その各操作ボタンの占有面積が小さいために、意図する機能を有する操作ボタンを操作するために指を近づけた際に、うっかり意図しない操作ボタンに指が触れることがあり、このような操作ミスが生じると、眼底検査に不必要に時間がかかることになり好ましくない。
【０００５】
本発明は、上記の事情に鑑みて為されたもので、その目的は、パネル面に表示された操作ボタンの操作ミスを極力回避可能な眼底カメラを提供することにある。
【課題を解決するための手段】
【０００６】
請求項１に記載の眼底カメラは、タッチパネル部のパネル面に表示された複数個の操作ボタンの少なくとも一つを操作することにより該操作ボタンに与えられた機能を実行させるものにおいて、前記パネル面を縁取るための枠部に前記操作ボタンを指し示す指示体の位置を検出する光学的検出手段と、該光学的検出手段により検出された指示体の位置に基づき指示体の位置を特定する特定手段と、該特定手段によって特定された指示体の位置の近傍に存在する操作ボタンを拡大表示して前記パネル面に表示させる表示制御手段とを有することを特徴とする。
【０００７】
請求項２に記載の眼底カメラは、前記表示制御手段は、拡大表示された操作ボタン以外の残余の操作ボタンを縮小表示して前記パネル面に表示させることを特徴とする。
【発明の効果】
【０００８】
本発明によれば、指示体としての例えば指を近づけるとその指に近い操作ボタンが拡大され、操作ボタンの占有面積を大きく確保できるので、操作ボタンの操作ミスを回避できるという効果を奏する。
【０００９】
特に、請求項２に記載の発明によれば、拡大表示する以外の操作ボタンを縮小表示させる構成となっているので、パネル面から操作に必要な操作ボタンを消失させることなく、操作ボタンの操作ミスを回避できるという効果を奏する。
【発明を実施するための最良の形態】
【００１０】
以下に、本発明に係わる眼底カメラの発明の実施の形態を図面を参照しつつ説明する。
【実施例】
【００１１】
図１は本発明に係わる眼底カメラの外観図を示し、この図１において、１はベース、２は架台である。ベース１には顎受け兼用の額当て３が設けられている。架台２には、眼底カメラ本体部４、ジョイスティック５、タッチパネル部６が設けられている。
【００１２】
眼底カメラ本体部４にはその内部に眼底を観察・撮影する眼底カメラ観察光学系（図示を略す）、眼底照明光学系（図示を略す）、眼底像を表示するモニター部８が設けられている。その眼底観察光学系は眼底像を受像する受像部として撮像素子を有する。その眼底観察光学系、眼底照明光学系は公知のもので構わないのでここではその詳細な説明は省略する。
【００１３】
架台２はジョイスティック５の操作によりベース１に対して前後左右方向に移動され、これにより、被検眼に対する眼底カメラ本体部４の位置がセットされる。
【００１４】
タッチパネル部６はパネル面１０を有する。タッチパネル部６は公知の液晶タイプのものが用いられ、図２に示すバックライト照明光源１１を有し、パネル面１０はそのバックライト照明光源１１により適宜輝度（明るさ）で照明される。
【００１５】
そのパネル面１０には、図２に示すように、各観察・撮影モードその他のモードに応じて各種の操作ボタン１２、表示部１３が表示され、操作者はそのこのパネル面１０に表示された各種の操作ボタン１２を適宜操作することにより、その操作ボタン１２が有する処理を実行できるようになっている。
【００１６】
パネル面１０の周囲には、このパネル面１０を縁取る枠部１４が設けられている。この枠部１４は前面部１４ａと斜面部１４ｂとから概略構成され、正面から見て略長方形状でかつ奥行きを有する外観形状を呈している。
【００１７】
その斜面部１４ｂの一辺部には複数個の発光部１５ａ〜１５ｇが間隔を開けて設けられ、この一辺部に対向する対向辺部には各発光部１５ａ〜１５ｇに対向して各受光部１５ａ’〜１５ｇ’が設けられ、その斜面部１４ｂの他辺部には複数個の発光部１６ａ〜１６ｇが間隔を開けて設けられ、この他辺部に対向する対向辺部には各発光部１６ａ〜１６ｇに対向して各受光部１６ａ’〜１６ｇ’が設けられている。各発光部と各受光部とは光学的検出手段を構成している。
【００１８】
その発光部１５ａ〜１５ｇから放出光Ｐ１とその発光部１６ａ〜１６ｇから放出される放出光Ｐ２とは互いに交差する構成とされ、指示体としての指１７をこの放出光Ｐ１と放出光Ｐ２とを遮るような位置に置くと、この位置に対応する受光素子、例えば、受光素子１５ｄ’、１６ｃ’の受光出力が変化する。
【００１９】
タッチパネル部６には光学的検出手段により検出された指示体の位置に基づき指示体の位置を特定する特定手段１８が図４に示すように設けられている。この特定手段１８にはこの特定手段１８によって特定された指示体の位置の近傍に存在する操作ボタンを拡大表示してパネル面１０に表示させる表示制御手段１９が接続されている。
【００２０】
この表示制御手段１９は、拡大表示された操作ボタン以外の残余の操作ボタンを縮小表示してパネル面１０に表示させる機能を有する。
【００２１】
図３は、指１７の指示によりその指示されたパネル面１０の位置の近傍に存在する操作ボタン１２が拡大表示され、残余の操作ボタン１２が縮小表示された状態を示す。
【００２２】
この発明の実施形態によれば、指を近づけるとその近傍に存在する操作ボタンが拡大されて、意図する操作ボタンの操作が容易となるので、操作ミスを回避できる可能性を飛躍的に向上させることができる。
【図面の簡単な説明】
【００２３】
【図１】本発明に係わる眼底カメラの一例を示す外観図である。
【図２】本発明に係わる眼底カメラのタッチパネル部を拡大して示す平面図である。
【図３】パネル面に表示された操作ボタンの一部が拡大された状態を示す説明図である。
【図４】本発明に係わる眼底カメラのブロック回路図である。
【符号の説明】
【００２４】
６…タッチパネル部
１０…パネル面
１５ａ〜１５ｇ…発光部（光学検出手段）
１６ａ〜１６ｇ…発光部（光学検出手段）
１５ａ’〜１５ｇ’…受光部（光学検出手段）
１６ａ’〜１６ｇ’…受光部（光学検出手段）
１８…特定手段
１９…表示制御手段
【図１】
2007089766.tif 000003
【図２】
2007089766.tif 000004
【図３】
2007089766.tif 000005
【図４】
2007089766.tif 000006